(57)【要約】【課題】太陽電池の出力が低下する状態においても、太陽電池の出力で二次電池を効率よく充電する。【解決手段】太陽電池システムは、太陽電池１と、太陽電池１で充電される二次電池２と、太陽電池１の出力を二次電池２に供給する安定化回路３と、太陽電池１の出力を安定化回路３にバイパスして二次電池２に出力するスイッチング素子４と、スイッチング素子４をオンオフに制御する制御回路５とを備える。制御回路５は、太陽電池１の出力が所定の時間連続して又は一時的に設定値よりも低下する状態で、または、二次電池２の電圧があらかじめ設定しているオン電圧よりも低い状態で、あるいはまた、太陽電池１の出力が所定の時間連続して又は一時的に設定値よりも低下し、かつ二次電池２の電圧がオン電圧よりも低い状態において、スイッチング素子４をオン状態に切り換えて、太陽電池１の出力をスイッチング素子４を介して二次電池２に供給して充電する。【選択図】図３
2011041378.tif 000002
【特許請求の範囲】
【請求項１】
太陽電池(1)と、この太陽電池(1)から入力される電力で充電される二次電池(2)と、前記太陽電池(1)と前記二次電池(2)との間に接続されて太陽電池(1)の出力を二次電池(2)に供給する安定化回路(3)と、この安定化回路(3)の入力側と出力側とに接続されて、前記太陽電池(1)の出力を安定化回路(3)にバイパスして二次電池(2)に出力するスイッチング素子(4)と、このスイッチング素子(4)をオンオフに制御する制御回路(5)とを備えており、
前記制御回路(5)は、前記太陽電池(1)の出力が所定の時間連続して又は一時的に設定値よりも低下する状態で、または、二次電池(2)の電圧があらかじめ設定しているオン電圧よりも低い状態で、あるいはまた、前記太陽電池(1)の出力が所定の時間連続して又は一時的に設定値よりも低下し、かつ二次電池(2)の電圧があらかじめ設定しているオン電圧よりも低い状態において、前記スイッチング素子(4)をオン状態に切り換えて、太陽電池(1)の出力をスイッチング素子(4)を介して二次電池(2)に供給して、太陽電池(1)で二次電池(2)を充電するようにしてなる太陽電池システム。
【請求項２】
前記二次電池(2)がリチウムイオン電池で、前記安定化回路(3)が太陽電池(1)の出力を定電圧・定電流特性に安定化して出力する定電圧・定電流回路である請求項１に記載される太陽電池システム。
【請求項３】
前記制御回路(5)が、二次電池(2)の電圧を検出してスイッチング素子(4)をオンオフに切り換えると共に、二次電池(2)の電圧が最低電圧よりも低い状態でスイッチング素子(4)をオフに切り換えるようにしてなる請求項１または２に記載される太陽電池システム。
【請求項４】
前記二次電池(2)がリチウムイオン電池で、オン電圧が３．８Ｖないし４．１Ｖである請求項１ないし３のいずれかに記載される太陽電池システム。
【請求項５】
前記二次電池(2)の出力を外部に出力する出力端子(6)を備える請求項１ないし４のいずれかに記載される太陽電池システム。
【請求項６】
前記出力端子(6)が、充電できる電池を内蔵している電池内蔵機器に脱着自在に接続されるコネクタと、ＵＳＢコネクタのいずれか又は両方である請求項５に記載される太陽電池システム。
【発明の詳細な説明】
【技術分野】
【０００１】
本発明は、太陽電池で充電される二次電池を備える太陽電池システムに関する。
【０００２】
太陽電池で、内蔵している二次電池を充電する太陽電池システムは開発されている。（特許文献１参照）
この太陽電池システムは充電器で、太陽電池で、内蔵している二次電池を充電する。この太陽電池システムは、太陽電池のエネルギーを二次電池に蓄えることができるので、太陽電池が発電しない状態において出力を取り出すことができ、あるいは太陽電池の出力よりも大出力を取り出すことができる。
【先行技術文献】
【特許文献】
【０００３】
【特許文献１】特開２００８−１０４２４９号公報
【発明の開示】
【発明が解決しようとする課題】
【０００４】
二次電池を内蔵する太陽電池システムは、太陽電池の出力を安定化回路を介して二次電池に供給して、二次電池を好ましい状態で充電できる。たとえば、二次電池に使用されるリチウムイオン電池は、定電圧・定電流して満充電され、ニッケル水素電池やニッケルカドミウム電池は定電流充電して満充電されるからである。このことから、二次電池をリチウムイオン電池とする太陽電池システムは、太陽電池と二次電池との間に接続する安定化回路を定電圧・定電流回路とし、二次電池をニッケル水素電池とする太陽電池システムにあっては、安定化回路を定電流回路として、二次電池を好ましい状態で充電できる。
【０００５】
太陽電池の出力側に安定化回路を接続してなる太陽電池システムは、太陽電池の出力が大きい状態で二次電池を好ましい状態で充電できる。しかしながら、太陽電池は、太陽光線のエネルギーを電気エネルギーに変換するので、常に規定の出力が得られる状態では使用できない。たとえば、曇ったり雨になると、太陽電池の出力が低下し、また変動して不安定となる。太陽電池の出力が低下すると、安定化回路の入力電圧が低下する。安定化回路は、入力される電圧や電流を一定値に制限することで、変動しないように安定化して出力する回路であって、入力される電力を大きく増幅して出力する回路ではない。とくに、太陽電池の出力側に接続している安定化回路は、太陽電池から入力される電力で動作して、出力を安定化させるものであるから、入力電力を増幅して出力することはできない。安定化回路は、太陽電池から入力される電力の一部を消費して、安定化された電圧や電流を出力する。このため、太陽電池の出力が低い状態で、安定化回路を介して二次電池を充電すると、二次電池を効率よく充電できなくなる。安定化回路が電力を消費するからである。
【０００６】
さらに、安定化回路は、太陽電池の出力が低下する状態、すなわち安定化回路の入力電圧が規定の電圧よりも低くなる状態では安定な動作を保証できない。それは、安定化回路が太陽電池の出力で動作されるので、太陽電池の出力が集積回路を動作させるための最小の電力よりも小さくなると、太陽電池が安定化回路を正常に動作させる電力を供給できなくなるからである。太陽電池からの出力が低下して、正常に動作できなくなる安定化回路は、種々の不安定な動作状態となるが、リセットされて一時的に出力電圧が低下することがある。図１は、太陽電池の出力が低下して安定化回路がリセットされて、二次電池を効率よく充電できなくなる状態を示すグラフである。この図において、曲線Ａは二次電池の充電電流を示し、曲線Ｂは太陽電池の出力電圧を示し、曲線Ｃは充電される電池の積算容量を示し、さらに、曲線Ｄは電池電圧を示している。この図に示すように、太陽電池の出力が低下すると、安定化回路は、リセットされて二次電池を充電できなくなる状態となる。安定化回路がリセットされて、二次電池を充電しない状態になると、二次電池の充電に電力を使用しなくなって、太陽電池から安定化回路に入力される電圧が高くなって、安定化回路は動作状態となる。動作状態になる安定化回路は、二次電池の充電を開始する。ところが、二次電池の充電を開始すると太陽電池の出力が低いので、安定化回路が正常に動作できなくなって、再びリセットされて、充電が停止される。すなわち、二次電池を充電する状態と、充電しない状態とが繰り返されることになって、二次電池の充電容量は極めて少なくなる。この図にあっては、８．５時間も経過して、二次電池に充電される容量はわずかに１５０ｍＡｈに過ぎない。
【０００７】
本発明は、以上の欠点を解決することを目的に開発されたものである。本発明の重要な目的は、太陽電池の出力が低下する状態においても、太陽電池の出力で二次電池を効率よく充電できる太陽電池システムを提供することにある。
【課題を解決するための手段及び発明の効果】
【０００８】
本発明の太陽電池システムは、太陽電池１と、この太陽電池１から入力される電力で充電される二次電池２と、太陽電池１と二次電池２との間に接続されて太陽電池１の出力を二次電池２に供給する安定化回路３と、この安定化回路３の入力側と出力側とに接続されて、太陽電池１の出力を安定化回路３にバイパスして二次電池２に出力するスイッチング素子４と、このスイッチング素子４をオンオフに制御する制御回路５とを備えている。制御回路５は、太陽電池１の出力が所定の時間連続して又は一時的に設定値よりも低下する状態で、または、二次電池２の電圧があらかじめ設定しているオン電圧よりも低い状態で、あるいはまた、太陽電池１の出力が所定の時間連続して又は一時的に設定値よりも低下し、かつ二次電池２の電圧があらかじめ設定しているオン電圧よりも低い状態において、スイッチング素子４をオン状態に切り換えて、太陽電池１の出力をスイッチング素子４を介して二次電池２に供給して、太陽電池１で二次電池２を充電する。
【０００９】
以上の太陽電池システムは、太陽電池の出力が低下する状態においても、太陽電池の出力で二次電池を効率よく充電できる特徴がある。それは、太陽電池の出力が小さい状態、あるいは二次電池の電圧がオン電圧よりも低い状態では、スイッチング素子をオンに切り換えて、太陽電池の出力を安定化回路で安定化することなく、スイッチング素子で直接に二次電池に供給するからである。制御回路は、太陽電池の出力が低い状態、あるいは二次電池の電圧がオン電圧よりも低い状態でスイッチング素子をオンに切り換えるので、この状態で太陽電池で二次電池を充電して、二次電池に悪影響を与えて、電気特性を低下することはない。それは、太陽電池の出力が低い充電で、あるいは二次電池の電圧があらかじめ設定しているオン電圧よりも低い状態で、太陽電池の出力を安定化することなく、スイッチング素子を介して二次電池を充電するからである。
【００１０】
図２は、本発明の太陽電池システムで二次電池を充電する状態を示すグラフである。この図において、曲線Ａは二次電池の充電電流を示し、曲線Ｂは太陽電池の出力電圧を示し、曲線Ｃは充電される電池の積算容量を示し、さらに、曲線Ｄは電池電圧を示している。この図に示すように、本発明の太陽電池システムは、太陽電池の出力が低下する状態、あるいは二次電池の電圧がオン電圧よりも低い状態において、太陽電池の出力をスイッチング素子で直接に二次電池に供給するので、従来のように、二次電池を充電する状態と、充電しない状態とを繰り返すことなく、太陽電池の出力を連続して二次電池に供給して効率よく充電できる。本発明の太陽電池システムでは、図２に示すように、８時間経過後における二次電池に充電される容量は４５０ｍＡｈとなり、図１に示す従来の太陽電池システムに比較して約３倍の容量を充電できることがわかる。
【００１１】
本発明の太陽電池システムは、二次電池２をリチウムイオン電池として、安定化回路３を、太陽電池１の出力を定電圧・定電流特性に安定化して出力する定電圧・定電流回路とすることができる。
以上の太陽電池システムは、二次電池をリチウムイオン電池とするので、小型で充電容量を大きくでき、しかもリチウムイオン電池を理想的な状態で充電できる特徴がある。
【００１２】
本発明の太陽電池システムは、制御回路５が、二次電池２の電圧を検出してスイッチング素子４をオンオフに切り換えると共に、二次電池２の電圧が最低電圧よりも低い状態でスイッチング素子４をオフに切り換えることができる。
以上の太陽電池システムは、二次電池の電圧が高くなって満充電に近い状態では、安定化回路を介して充電されるので、二次電池が異常に高い電圧で充電されるのを防止できる。
【００１３】
本発明の太陽電池システムは、二次電池２をリチウムイオン電池として、オン電圧を３．８Ｖないし４．１Ｖとすることができる。
以上の太陽電池システムは、リチウムイオン電池が太陽電池に充電されて異常に高い電圧になるのを防止できる。
【００１４】
本発明の太陽電池システムは、二次電池２の出力を外部に出力する出力端子６を備えることができる。
以上の太陽電池システムは、出力端子に種々の電子機器を接続して、電力を供給できる。
【００１５】
本発明の太陽電池システムは、出力端子６を、充電できる電池を内蔵している電池内蔵機器に脱着自在に接続されるコネクタと、ＵＳＢコネクタのいずれか又は両方とすることができる。
以上の太陽電池システムは、電池内蔵機器に電力を供給して電池を充電し、あるいはＵＳＢコネクタのある電子機器に接続して電力を供給できる。
【図面の簡単な説明】
【００１６】
【図１】従来の太陽電池システムで二次電池を充電する状態を示すグラフである。
【図２】本発明の一実施例にかかる太陽電池システムで二次電池を充電する状態を示すグラフである。
【図３】本発明の一実施例にかかる太陽電池システムのブロック図である。
【図４】太陽電池の出力特性の一例を示すグラフである。
【発明を実施するための形態】
【００１７】
以下、本発明の実施例を図面に基づいて説明する。ただし、以下に示す実施例は、本発明の技術思想を具体化するための太陽電池システムを例示するものであって、本発明は太陽電池システムを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図３のブロック図に示す太陽電池システムは、太陽電池１と、この太陽電池１から入力される電力で充電される二次電池２と、太陽電池１と二次電池２との間に接続されて太陽電池１の出力を二次電池２に供給する安定化回路３と、この安定化回路３の入力側と出力側とに接続されて、太陽電池１の出力を安定化回路３にバイパスして二次電池２に出力するスイッチング素子４と、このスイッチング素子４をオンオフに制御する制御回路５とを備えている。
【００２０】
太陽電池１は、その定格出力を、二次電池２を、１日ないし５日で満充電できる大きさとしている。太陽電池１は定格出力を大きくして、二次電池２を速やかに満充電できる。ただ、定格出力の大きい太陽電池は、コストが高くなる。また、定格出力の大きい太陽電池は大きくなるので、携帯式の太陽電池システムにあっては、持ち運びに不便となる。このことから、太陽電池１の定格出力は、コストと、携帯性とを考慮して、たとえば１Ｗないし１０Ｗとするものが使用される。図４は、携帯式の太陽電池システムに使用する定格出力を２．５Ｗとする太陽電池１の出力特性を示すグラフである。この太陽電池１は、無負荷での出力電圧を５．６Ｖ（太陽電池セルを８直列に接続した場合）とし、短絡状態で出力電流を０．５Ａとする。太陽電池１の出力は、図４のように、晴れ、少し曇り、曇り（限界）時の電圧−電流カーブとなる。さらに、接続される負荷により、この曲線上の点で動作することになる。曇り（限界）においては、図１（太陽電池セルを１０直列に接続した場合）のように、上述の課題で説明したように、負荷として安定化回路に接続するなら、開放電圧から電圧−電流カーブの右下に動作点が進み、出力電流を得るために、動作電圧が低下して、安定化回路がリセットされる。そして、その後、太陽電池出力は、開放電圧に近い状態となり、これを繰り返すことになる。
【００２１】
二次電池２は、リチウムイオン電池である。リチウムイオン電池は、残容量によって変動する電圧を３Ｖないし４．１Ｖとするので、図４に示す特性の太陽電池１で充電するのに適している。図４における３．７Ｖは、リチウムイオン電池の電圧の一例を示している。二次電池２は、太陽電池１の出力電圧よりも低い電圧のものを使用する。この太陽電池システムは、太陽電池１の電圧を昇圧することなく二次電池２を充電できる。図の太陽電池１は出力電圧を５．６Ｖとするので、出力電圧を昇圧することなく、１セルのリチウムイオン電池を充電できる。また、リチウムイオン電池は、太陽電池１の出力が低い状態での充電効率を高くできる特徴もある。ただし、二次電池には、リチウムイオン電池に代わって、ニッケル水素電池やニッケルカドミウム電池など、太陽電池で充電できるすべの電池を使用できる。ニッケル水素電池は、１セルの電圧を１．２Ｖとするので、３セルのニッケル水素電池を直列に接続して、電圧を３．６Ｖとして、図４の特性の太陽電池で充電できる。携帯式の太陽電池システムは、二次電池の定格容量を２０００ｍＡｈないし５０００ｍＡｈとして、便利に持ち運びできる。
【００２２】
安定化回路３は、太陽電池１の出力を定電圧・定電流特性に安定化して出力する定電圧・定電流回路である。安定化回路３は、太陽電池１から入力される電力で動作して、太陽電池１から入力される出力を安定化して出力する。定電圧・定電流回路の安定化回路３は、リチウムイオン電池を好ましい状態で充電できる。ただ、本発明は、安定化回路を定電圧・定電流回路には特定しない。内蔵電池をニッケル水素電池とする太陽電池システムは、安定化回路を定電流回路として二次電池を充電できるからである。さらに、安定化回路３は、二次電池２の満充電を検出して充電を停止する回路も内蔵している。
【００２３】
太陽電池１の出力で動作する安定化回路３は、太陽電池１から入力される電力が少なくなると不安定になる。とくに、安定化回路３は、その出力で二次電池２を充電するので、二次電池２を充電しながら安定に動作する電力が太陽電池１から入力されない限り安定な動作は保証されない。安定化回路３は、太陽電池１の出力が低下して、正常に動作できなくなると、リセットされて出力を遮断する。この状態になると、太陽電池１の電力は全て安定化回路３に入力されるので、安定化回路３は正常に動作できる状態となる。安定化回路３は、太陽電池１から供給される電力が低くなると、正常に動作しなくなってリセットされて二次電池２の充電を停止し、また、二次電池２の充電が停止されると太陽電池１の電力が安定化回路３に供給されて動作状態となる。すなわち、安定化回路３は、太陽電池１の出力が設定値よりも大きい状態では、安定に動作して二次電池２を充電するが、太陽電池１の出力が設定値よりも小さくなると、動作が不安定になって、繰り返しリセットされて、二次電池２を連続して効率よく充電できなくなる。
【００２４】
制御回路５でオンオフに切り換えられるスイッチング素子４は、太陽電池１の出力が低下する状態においても、太陽電池１で効率よく二次電池２を充電する。スイッチング素子４は、太陽電池１と二次電池２との間に接続されて、オン状態では太陽電池１の出力を、安定化回路３を介することなく二次電池２に供給する。オン状態のスイッチング素子４は、太陽電池１の出力を安定化することなく二次電池２に直接に供給する。したがって、スイッチング素子４をオンに切り換える状態では、太陽電池１の出力は二次電池２の充電に効果的に使用されて、二次電池２を速やかに充電する。オン状態のスイッチング素子４は、安定化回路３を介することなく、太陽電池１の出力を二次電池２に供給するので、この状態における安定化回路３の動作状態は二次電池２の充電に影響を与えない。すなわち、安定化回路３が不安定な動作状態となっても、太陽電池１の出力は安定して二次電池２に供給されて、二次電池２の充電に有効に利用される。
【００２５】
制御回路５は、太陽電池１の出力電圧で、太陽電池１の出力を検出し、出力電圧が所定の時間連続してまたは一時的に設定値よりも低下する状態では、スイッチング素子４をオンに切り換え、出力電圧が所定の時間連続して設定値よりも高い状態では、スイッチング素子４をオフ状態とする。図４に示す出力特性の太陽電池１にあっては、制御回路５は、例えば太陽電池１の出力電圧が連続して、４．５Ｖないし５Ｖを超える状態でスイッチング素子４をオフに切り換え、出力電圧が連続して又は一時的にこの電圧よりも低くなる状態でスイッチング素子４をオンに切り換える。制御回路５が、太陽電池１の出力電圧を検出して、スイッチング素子４をオンに切り換える電圧は、安定化回路３が安定に動作して、二次電池２を充電できる最低の電圧に設定される。太陽電池１の出力が低い状態では、安定化回路３が不安定な動作をして、太陽電池１の出力電圧は、図１に示すように変動する。この図において、安定化回路３が動作状態にあって、二次電池２の充電が開始されると太陽電池１の出力電圧が低下し、安定化回路３がリセットされて二次電池２の充電が停止される状態で太陽電池１の出力電圧は上昇する。したがって、制御回路５は、太陽電池１の出力電圧が所定の時間は設定値よりも大きく、あるいは連続して設定値よりも大きい状態では、スイッチング素子４をオフに切り換え、太陽電池１の出力電圧が所定の時間連続して又は一時的に設定値よりも低下する状態では、スイッチング素子４をオンに切り換える。図４に示すように、太陽電池の出力については、その時の太陽光下での照度に対応して、電圧−電流カーブの特性を示して、接続される負荷（安定化回路３）の状態に対応した動作点で出力され、この動作点での電圧が所定電圧（最低電圧、例えば、一例として４．４Ｖ）よりも低いと、スイッチング素子４をオンに切り換える。
【００２６】
また、制御回路５は、太陽電池１の出力を直接には検出することなく、安定化回路３が不安定となることを検出して、すなわち、太陽電池１の出力電圧が図１に示すように、変動する状態で、太陽電池１の出力が設定値よりも低くなったと判定して、スイッチング素子４をオンに切り換えることもできる。
【００２７】
さらに、制御回路５は、二次電池２の電圧があらかじめ設定しているオン電圧よりも低い状態でスイッチング素子４をオンに切り換えて、太陽電池１で二次電池２を効率よく充電する。オン電圧は、二次電池２の満充電電圧よりも低く、たとえば、リチウムイオン電池にあっては３．８Ｖ／セルないし４．１Ｖ／セル、好ましくは４．０５Ｖに設定される。二次電池２は、オン電圧よりも低い電圧にあっては満充電されず、満充電されるまでにさらに充電する必要がある。二次電池２の電圧がオン電圧に上昇するまで、オン状態に切り換えられるスイッチング素子４は、太陽電池１の出力を効率よく安定して二次電池２に供給して、二次電池２を充電する。また、オン電圧は満充電電圧よりも低く設定しているので、オン電圧に上昇するまで、太陽電池１の出力を安定化することなく二次電池２に供給しても、二次電池２が過充電されることはなく、この充電で二次電池２が劣化することはない。
【００２８】
また、制御回路５は、太陽電池１の出力が所定の時間連続して又は一時的に設定値よりも小さく、かつ二次電池２の電圧がオン電圧よりも低い状態で、スイッチング素子４をオンに切り換えることもできる。この制御回路５は、太陽電池１の出力が小さく、かつ二次電池２の電圧がオン電圧よりも低い状態で、スイッチング素子４をオンに切り換えるので、安定化回路３を不安定な動作とすることなく、また、二次電池２を過充電することなく理想的な状態で二次電池２を充電できる特徴がある。
【００２９】
さらにまた、制御回路５は、二次電池２の電圧が最低電圧、たとえば２．７Ｖ〜３．１Ｖ、好ましくは３Ｖよりも低い状態では、スイッチング素子４をオフに切り換える。この太陽電池システムは、二次電池２の電圧が最低電圧よりも低い状態では、太陽電池１の出力を安定化回路３で安定化して二次電池２に供給する。この太陽電池システムは、最低電圧まで低下した二次電池２は、安定化回路３でコントロールしながら充電して、安全性を高くできる。それは、たとえば内部ショートして電圧が低下した異常な二次電池を、スイッチング素子を介して直接に太陽電池に接続しないからである。
【００３０】
制御回路５は、以上のように、太陽電池１の出力が所定の時間連続して又は一時的に設定値よりも低下する状態、または、二次電池２の電圧があらかじめ設定しているオン電圧よりも低い状態、あるいはまた、太陽電池１の出力が所定の時間連続して又は一時的に設定値よりも低下し、かつ二次電池２の電圧があらかじめ設定しているオン電圧よりも低い状態において、スイッチング素子４をオン状態に切り換えて、太陽電池１の出力をスイッチング素子４を介して二次電池２に直接に供給して充電する。
【００３１】
スイッチング素子４は、太陽電池１から二次電池２に通電するトランジスタである。図３のトランジスタは、エミッタを太陽電池１に、コレクタを二次電池２に接続して、オン状態で太陽電池１の出力を二次電池２に出力する。スイッチング素子は、トランジスタに代わって、他の半導体スイッチング素子やリレーも使用できる。
【００３２】
さらに、図３のブロック図に示す太陽電池システムは、太陽電池１で充電された二次電池２に接続している出力端子６を備えている。出力端子６は、充電できる電池を内蔵している電池内蔵機器に脱着自在に接続されるコネクタやＵＳＢコネクタである。コネクタである出力端子は、電池内蔵機器に接続されて内蔵する電池を充電する。また、ＵＳＢコネクタである出力端子は、このＵＳＢコネクタに接続できる全ての電子機器に電力を供給することができる。さらに、この図の太陽電池システムは、二次電池２の出力を出力回路７を介して出力端子６に接続している。出力回路７は、二次電池２から供給される電力を、出力端子６に接続される電池内蔵機器や電子機器に供給する最適な電力となるように、電圧と電流をコントロールして出力する。
【符号の説明】
【００３３】
１…太陽電池
２…二次電池
３…安定化回路
４…スイッチング素子
５…制御回路
６…出力端子
７…出力回路
【図１】
2011041378.tif 000003
【図２】
2011041378.tif 000004
【図３】
2011041378.tif 000005
【図４】
2011041378.tif 000006